(57)【要約】【課題】空圧打撃型手持ち式工具装置において、加工部材が持ち上げられた場合、すなわち、反力が空圧式打撃機構に作用しなかった場合に、工具装置の消費出力を低減する方法を提案する。【解決手段】本発明による空圧打撃型手持ち式工具装置の制御方法は、工具装置（１）の打撃軸線（８）に沿った加速度（ａ）を検出するステップと、検出した加速度（ａ）が閾値（Ａ）よりも大きい場合に駆動出力を低減するステップとを有し、前記閾値（Ａ）を、加工部材に対する工具装置（１）の打撃作動時に生じる最大加速度値（ａ１，ａ２）よりも大きく選択する。【選択図】図４
2010173064.tif 000002
【特許請求の範囲】
【請求項１】
空圧打撃型の手持ち式工具装置を制御するための方法において、
手持ち式工具装置（１）の打撃軸線（８）に沿った加速度（ａ）を検出するステップと、
検出した前記加速度（ａ）が閾値（Ａ）よりも大きい場合に駆動出力を低減するステップとを有し、前記閾値（Ａ）を、加工部材に対する手持ち式工具装置（１）の打撃作動時に生じる最大加速度値（ａ１，ａ２）よりも大きく選択することを特徴とする制御方法。
【請求項２】
請求項１に記載の方法において、
次の基準、すなわち、
前記加速度（ａ）が打撃方向（１００）に生じ、加速度値が閾値（Ａ）を超過しているという第１の基準；
第１の時間（Ｔ）をおいて２回、前記加速度値が前記閾値（Ａ）を超過しているという第２の基準；および
第２の時間（Ｔ）内に２回、前記加速度値が前記閾値（Ａ）を超過しているという第３の基準；
のうちの少なくとも１つを調べることにより後打撃の発生を検出し、後打撃が検出された場合に駆動出力を低減する制御方法。
【請求項３】
請求項２に記載の方法において、
駆動軸（４）の実際の回転数（Ｎ）に関係して前記第１の時間（Ｔ）を選択する制御方法。
【請求項４】
請求項２または３に記載の方法において、
加速度が前記打撃方向（１００）および打撃方向（１００）とは反対方向にそれぞれ１回ずつ閾値を超過しているか、または加速度が前記閾値（Ａ）の２回の超過の間にゼロの戻ったことを第３の基準とする制御方法。
【請求項５】
請求項２から４までのいずれか一項に記載の方法において、
加工部材に対する打撃作動時における２回の打撃間の時間（Ｔ）よりも第２の時間（Ｔ３）を短く選択する制御方法。
【請求項６】
請求項２から５までのいずれか一項に記載の方法において、
後打撃の検出後に、駆動出力を高い駆動出力から平均駆動出力に低減する制御方法。
【請求項７】
請求項６に記載の方法において、
後打撃の検出後、第３の時間（Ｔ２）内にもう１回後打撃を検出した場合、駆動出力を低い駆動出力に低減する制御方法。
【請求項８】
請求項６または７に記載の方法において、
後打撃の検出後、第４の時間（Ｔ３）内に別の後打撃を検出しなかった場合、駆動出力を高い駆動出力に増大する制御方法。
【請求項９】
請求項７または８に記載の方法において、
前記駆動軸（４）の実際の回転数に関連して第３の時間および／または第４の時間を選択する制御方法。
【請求項１０】
請求項１から９までのいずれか一項に記載の方法において、
駆動出力を調節するために、前記駆動軸（４）の回転数（Ｎ）を調節する制御方法。
【請求項１１】
請求項１０に記載の方法において、
低い駆動出力のための低い回転数（Ｎ３）を、高い駆動出力のための高い回転数（Ｎ１）の３５％よりも小さく選択する制御方法。
【請求項１２】
請求項１０または１１に記載の方法において、
平均駆動出力のための平均回転数（Ｎ２）を、高い駆動出力のための高い回転数（Ｎ１）の７５％〜８５％に選択する制御方法。
【請求項１３】
請求項１０から１２までのいずれか一項に記載の方法において、
手持ち式工具装置（１）の空圧式打撃機構の共振回転数を共振的に励起し、高い駆動出力のために、前記共振回転数と１０％より小さく異なる高い回転数（Ｎ）を選択する制御方法。
【請求項１４】
手持ち式工具装置において、
駆動軸（４）と、
空圧式打撃機構（５）と、
請求項１から１３までのいずれか一項に記載の制御方法を実施するための評価装置を有することを特徴とする手持ち式工具装置。
【請求項１５】
請求項１４に記載の手持ち式工具装置において、
加速度センサおよび前記評価装置を電子機構モジュールに組み込んだ手持ち式工具装置。
【発明の詳細な説明】
【技術分野】
【０００１】
本発明は空圧打撃型、例えば電子制御式空圧打撃型の手持ち式工具装置の制御方法および空圧打撃型の手持ち式工具装置に関し、特に手持ち式工具装置の空打撃を低減するための制御方法を提案するものである。
【背景技術】
【０００２】
欧州特許第０３０３６５１号明細書（特許文献１）により、電子制御式空圧型のチゼルハンマまたはドリルハンマの駆動を中断するための方法が公知である。この方法は、チゼルハンマの遮断時に駆動伝達系を中断し、使用者を保護するために用いられる。チゼルハンマの遮断は、打撃機構内の工具または打撃体の位置によって認識される。回転運動の遮断は、加速度値の超過により認識される。
【０００３】
特許文献１で引用しているドイツ国特許第２８２０１２８号明細書（特許文献２）に記載の電子制御式空圧型のチゼルハンマは、使用者がチゼルハンマを持ち上げた場合に、構成に基づきスイッチオフする。工具は、打撃軸線上に設けられたストッパに当接する。いまフリーピストンは、フリーピストンと励起ピストンとの間の案内管に設けられた通気開口をさらに閉鎖しないところまで前進することができる。圧力補償は通気開口を介して行うので、励起ピストンはフリーピストンをもはや吸着することができない。これにより、打撃機構は受動的に作動停止される。使用者がチゼルハンマを載置するとすぐに、フリーピストンは工具によって通気開口上に押圧される。励起ピストンはフリーピストンを再び吸着することができ、打撃機構は作動状態となる。
【先行技術文献】
【特許文献】
【０００４】
【特許文献１】欧州特許第０３０３６５１号明細書
【特許文献２】ドイツ国特許第２８２０１２８号明細書
【発明の開示】
【発明が解決しようとする課題】
【０００５】
本発明の課題は、加工部材から持ち上げられた場合、すなわち、反力が空圧打撃式打撃機構に作用しなかった場合に空圧打撃型の手持ち式工具装置の消費出力を低減する制御方法を提案することである。
【課題を解決するための手段】
【０００６】
本発明による空圧打撃型の手持ち式工具装置の制御方法では次のステップを実施する。すなわち、先ず手持ち式工具装置の打撃方向に沿って作用する加速度を検出する。検出した加速度が閾値よりも大きい場合に駆動出力を低減する。この場合、閾値は手持ち式工具装置による加工部材の打撃作動時に生じる加速度よりも大きく選択されている。
【０００７】
工具が加工部材と接触している場合、すなわち、所定の使用作動時に、フリーピストンは、場合によっては中間に配置された打撃子を介して加工部材を周期的に打撃する。フリーピストンの衝撃および動力エネルギは、工具に、そして工具内に伝達される。フリーピストンと工具とからなる結合系に生じる加速度値は、共通質量に基づき小さい。フリーピストンまたは打撃子は、典型的には打撃方向に対応把持手段に到達する前に工具によって停止される。打撃時に手持ち式工具装置に伝達される加速度値は、所定の使用作動時には小さい。
【０００８】
空打撃時、すなわち、工具が加工部材に接触していない場合に、フリーピストンの衝撃および総動力エネルギは手持ち式工具機械の把持手段に伝達される。所定の使用作動時に比べて比較的大きい加速度値が生じる。
【０００９】
所定の作動時および空打撃時に生じた加速度、例えば、対応したピーク値は、手持ち式工具装置の構成および出力の大きさ、場合によってはさらに工具によって規定されている。加速度値は、手持ち式工具装置のタイプに応じて測定することができる。閾値は測定値を考慮して選択することができる。
【００１０】
本発明の一態様は、駆動軸、空圧式打撃機構、加速度センサおよび上記制御方法を実施するための評価装置を備えた手持ち式工具装置に関する。
【００１１】
本発明による制御方法の具体的な手順は従属請求項に記載されている。
【００１２】
一改良形態では、後打撃の検出は、次の第１〜第３基準の少なくとも１つを検査することによって行う。第１基準：加速度が打撃方向に生じ、加速度値が閾値を超過する。第２基準：加速度値が第１の時間をおいて２回閾値を超過得する。第３基準：加速度値が第２の時間内に２回閾値を超過する。後打撃が検出された場合に駆動出力を低減する。
【００１３】
加工部材に手持ち式工具装置を力強く載置した場合、閾値を超過する高い加速度が生じる場合がある。しかしながら、使用者はいま加工部材から材料を除去したいので、この場合に出力が低下することは不都合である。力強い載置と空打撃とは、加速方向に基づいて区別することができる。力強い載置では、力は工具から手持ち式工具装置の方向に作用する。これに対して空打撃では、打撃方向にも打撃方向とは反対方向にも力が生じる。それ故、打撃方向に生じる力および／または加速度の負のピーク値と正のピーク値による二回の超過に基づいて空打撃を検出することが有利である。同様に空打撃が所定の周期で生じることを利用することができる。
【００１４】
一構成では、加速度値が打撃方向および打撃方向とは反対方向にそれぞれ１回閾値を超過するか、または加速度値が閾値を２回超過する間にゼロに戻ることを第３基準としている。第２の時間は、加工部材に対する打撃作動時の２回の打撃の間の時間よりも短く選択することができる。
【００１５】
空打撃は周期的に生じ、周期は駆動装置によって規定されている。一構成では、第１の時間は、駆動軸の実際の回転数に関連して選択される。第１の時間は、実際の回転数の逆数であってもよい。
【００１６】
一構成では、後打撃の検出後、駆動出力は高い駆動出力から平均駆動出力に低減される。あらかじめ規定されていない結果により１回の閾値超過が生じる場合もある。後打撃時に予期される後続の超過が生じなかった場合、駆動出力を直ちに再び増大することができる。そうでない場合には駆動出力は既に低減されており、小さい駆動出力による静止モードへの低減が同様に迅速に行われる。
【００１７】
一改良形態では、後打撃の検出後に第３の時間内にもう１回後打撃が検出された場合、駆動出力は低い駆動出力に低減される。
【００１８】
後打撃の検出後、第４の時間内にさらなる後打撃が検出されなかった場合には、駆動出力は高い駆動出力に増大される。後打撃がもはや検出されなかった場合、この制御方法では、駆動装置のフル出力が提供され、プロセスが最初から開始される。後打撃は、例えば使用者が手持ち式工具装置を加工部材に載置するか、または打撃機構のフリーピストンが停止した場合に止まる。
【００１９】
第３および／または第４の時間は、駆動軸の実際の回転数に関連して選択することができる。後打撃は駆動軸によって規定されたリズムで生じる。それ故、第１の後打撃後にどのような時間間隔で第２の後打撃が生じなければならないかを回転数に基づいて決定することができる。
【００２０】
一改良形態では、駆動出力を調節するために駆動軸の回転数を調節する。低い駆動出力のための低い回転数は、高い駆動出力のための高い回転数の３５％よりも少なく選択することができる。平均駆動出力のための平均回転数は、高い駆動出力のための高い回転数の７５％〜８５％であってよい。共振回転数は、手持ち式工具装置の空圧式打撃機構を共振的に励起し、共振回転数と１０％よりもわずかに異なる高い回転数を高い駆動出力のために選択することができる。共振的な励起は、最高の作用度で励起出力を打撃機構に伝達することにより優れている。
【００２１】
一構成では、加速度センサおよび評価装置は電子機構モジュールに組み込まれている。
【発明の効果】
【００２２】
本発明による、空圧打撃型の手持ち式工具装置の制御方法および空圧打撃型の手持ち式工具装置、特に手持ち式工具装置の空打撃を低減するための制御方法によれば、加工部材が持ち上げられた場合、すなわち、反力が空圧打撃機構に作用しなかった場合に空圧打撃型の手持ち式工具装置の消費出力を低減されるという効果が得られる。
【図面の簡単な説明】
【００２３】
【図１】空圧打撃式チゼルハンマを示す概略図である。
【図２】空圧打撃式チゼルハンマの打撃機構を部分的に断面して示す概略図である。
【図３】チゼルハンマの作動時の加速度値を示す概略図である。
【図４】制御方法を示すフローチャートである。
【発明を実施するための形態】
【００２４】
次に例示的な実施形態および図面に基づき本発明を説明する。
【００２５】
図１は、手持ち式打撃工具装置のための実施例として電子制御式空圧打撃型のチゼルハンマ１を概略的に示している。図示しない他の実施例は、例えばドリルハンマ、コンビハンマである。
【００２６】
機械ハウジング２には、第１駆動部３、駆動軸４および打撃機構５を備える動力伝導系が配置されている。第１駆動部３と駆動軸４との間には伝動装置７が配置されている。第１駆動部３は、有利に電動モータ、例えばユニバーサルモータまたはブラシレスモータである。駆動軸４は、第１駆動部３によって、１Ｈｚ〜１００Ｈｚ、例えば１０Ｈｚ〜６０Ｈｚの範囲の回転数で回転させられる。駆動軸４の回転運動は、打撃機構５によって打撃軸線８に沿った周期的な打撃運動に変換される。工具保持部９で保持した工具は、打撃軸線８に沿った打撃方向１００のチゼルハンマ１の周期的な打撃により作動する。チゼルハンマ１を加工部材に押しつけることにより、打撃方向１００とは反対方向にチゼルハンマ１の内部に工具が戻される。
【００２７】
図２は、例示的な打撃機構５を示している。
【００２８】
案内管１０は、励起ピストン１２およびフリーピストン１３を打撃軸線８に沿って案内する。励起ピストン１２およびフリーピストン１３は、案内管１０の内壁１１に対して形状接続的に構成されている。シールリング１５，１６により気密な接続が得られる。第１の通気開口１７は、励起ピストン１２の領域で案内管１０の内部空間を案内管１０の外部空間に接続している。第２の通気開口は、フリーピストン１３の領域で案内管１０の内部空間を案内管１０の外部空間に接続している。
【００２９】
案内管１０の工具側端部では、打撃子２０が打撃子案内部２１で支承されている。打撃子案内部２１は、打撃方向１００および打撃方向１００とは反対方向の打撃子２０の運動を制限する。工具に向いた端部２２は、工具保持部９で保持された工具と接触している。打撃子２０の工具に向いていない端部２３は、打撃子案内部２１から案内管１０の内部空間に突入している。
【００３０】
励起ピストン１２は、駆動軸４によって打撃軸線１４に沿って周期的に運動させられる。駆動軸４は回転軸線３０を中心として回転させられ、この場合に回転軸線３０に対して偏心的に配置された偏心ピン３１を移動させる。偏心ピン３１はロッド３２によって励起ピストン１２に結合されている。励起ピストン１２の半分のストロークは偏心ピン３１と回転軸線３０との間隔３３にほぼ対応している。
【００３１】
励起ピストン１２およびフリーピストン１３によって案内管１０に閉じ込められた空気容積に基づいて、フリーピストン１３は、励起ピストン１２の強制的な運動に追従する。励起ピストン１２が打撃方向１００に移動した場合、フリーピストン１３は打撃方向１００に加速する。フリーピストン１３は打撃子２０の工具に向いていない端部２３に当接する。フリーピストン１３の衝撃は、この場合いわば弾性的な衝突で打撃子２０および工具に伝達される。フリーピストン１３は、励起ピストン１２が打撃方向１００とは反対方向に移動した場合、衝突後に励起ピストン１２により打撃方向１００とは反対方向に加速される。移動プロセスは、駆動軸４の回転数に対応した周波数により周期的に繰り返される。
【００３２】
図３は、機械ハウジング２の内部で生じた加速度値ａを時間ｔにわたって記録したものを示しており、正の加速度値ａは打撃方向１００の加速度を示す。まず使用者は手持ち式工具装置１を加工部材に載置する（８２）。次いで所定の使用作動８３を行い、使用作動時にチゼルハンマ１の打撃によって加工部材を加工する。次いで使用者が、例えばチゼルハンマ１を加工部材の別の場所に位置決めするために持ち上げた場合に空打撃８４が生じる。
【００３３】
所定の使用作動８３では、打撃子２０に対するフリーピストン１３の打撃が、駆動軸の回転数により規定された時間間隔Ｔをおいて周期的に生じる。１回の打撃時の加速度ａのパターンを２つの位相８０，８１に区分することができる。第１の位相８０では、正の加速度値ａ１、すなわち打撃方向１００の加速度が検出される。これは打撃子２０および工具が工具装置１から外方に加速された場合である。打撃子および工具の加速度ａは、打撃子案内部２１および工具収容部９の摩擦に基づいて、打撃子案内部２１の工具に向いた端部２４に打撃子２０が当接した場合に部分的に機械ハウジング２に伝達される。第２の位相８１では、打撃時に弾性変形した構成部材の弛緩および／または打撃子案内部２１の端部２５における打撃子２０の戻りにより生じる負の加速度値ａ２が検出される。正の加速度値ａ１および負の加速度値ａ２のピーク値および時間積分は区別することができるが、しかしながら、典型的には係数２よりも多くは異ならない。
【００３４】
使用者がチゼルハンマ１を加工部材から持ち上げた場合、打撃子２０および工具は、フリーピストン１３から伝達された衝撃を加工部材に出力しない。これを空打撃と呼ぶ。それ故、空打撃８４の間に機械ハウジング２の内部に高い加速度値ａ３，ａ４が生じる。加速度値ａ３，ａ４の振幅は、所定の使用作動８３の間、すなわち、加工部材の打撃時には、チゼルハンマ１の構成形式および工具質量に応じて少なくとも係数２だけ加速度値ａ１,ａ２よりも大きい。
【００３５】
空打撃の周期的な発生を防止する受動的な解決方法が公知である。空打撃時には、打撃子２０は打撃方向１００に摺動されているので、フリーピストン１３はより大きい距離を進まなければならない。距離は、空打撃時に共振によるフリーピストン１３の移動プロセスが、励起ピストン１２により励起されるように寸法決めされる。付加的に、空打撃時にフリーピストン１３と励起ピストン１２との間で案内管１０の内部空間を通気するように通気開口１８を配置することもできる。フリーピストン１３が打撃子２０と通気開口１８との間に位置している場合には、励起ピストン１２へのフリーピストン１３の移動は生じない。しかしながら、打撃機構５の構成自由度、特に長さは、空打撃時の所望の切換挙動により制限されている。
【００３６】
空打撃８４は、同様に２つの位相８５，８６に区分することができる。第１の位相８５では、正の加速度値ａ３、すなわち打撃方向１００の加速度ａが生じる。正の加速度値ａ３は、とりわけ案内部１０，２１の工具に向いた端部２４におけるフリーピストン１３および／または打撃子２０の当接と相関する。第２の位相８６で、第１の位相８５の間に弾性変形した構成部材の弛緩かつ／または打撃子案内部２１の端部２５における打撃子２０の戻りにより負の加速度値ａ４が生じる。２つの空打撃の間の時間間隔は、周期Ｔまたは駆動軸４の実際の回転数による規定に対応する。
【００３７】
加工部材へのチゼルハンマ１の載置８２は、生じる加速度ａ５に関して別の特徴を有する。加速度値ａ５は、絶対的な加速度値ａ３,ａ４とほぼ等しい大きさであってよい。載置時の加速度値の振幅および時間積分は、使用者、加工部材および例えば貫通時などの状況に大きく関係している。しかしながら、打撃は、典型的には載置時に負の加速度値、すなわち、打撃方向１００とは反対方向の加速度ａを有する単一の位相のみを示す。さらにチゼルハンマは通常数秒の間隔をおいて新たに載置され、これにより、周期Ｔ内に対応した加速ａ５は１回しか生じない。
【００３８】
チゼルハンマ１の載置時に、使用者は典型的には最大限に提供された打撃能力を望む。チゼルハンマ１を持ち上げた場合、チゼルハンマ１および使用者への負荷を低減するために空打撃はできるだけ抑制されるべきである。
【００３９】
図４のフローチャートに関連して、チゼルハンマ１のための例示的な制御方法を説明する。
【００４０】
システムスイッチ４０の操作に応答してシステム制御部４１が作動またはトリガされる。システム制御部４１は、第１駆動部３を加速するようモータ制御部４２に指示する（Ｓ１）。この場合、駆動軸４の回転数Ｎは高い回転数Ｎ１に到達する。高い回転数Ｎ１は、公称最大回転数の８０％〜１００％の範囲であってよい。高い回転数Ｎ１は、有利には打撃機構５に適合されており、これにより、励起ピストン１２は、フリーピストン１３の移動を共振的に励起する。高い回転数Ｎ１が得られた場合、打撃機構５は周期継続時間Ｔの間隔をおいて打撃する（Ｓ２）。２回の打撃の間の周期継続時間Ｔは、高い回転数Ｎ１の逆数または高い回転数Ｎ１の逆数の整数倍に相当する。
【００４１】
加速度センサ４３は、生じた加速度ａを検出する。加速度センサ４３は、打撃機構５の内部、打撃機構５の案内管１０、打撃機構５から離れて第１の駆動部４を制御するための電子機構群、例えばシステム制御部４１の内部、または機械ハウジング２の内部の別の場所に配置されていてもよい。加速度センサ４３の信号は評価装置４４に伝達される。
【００４２】
評価装置４４は、生じた加速度値ａを閾値Ａと比較する（Ｓ３）。閾値Ａの値は、典型的には所定の使用作動８３で生じる加速度値ａ１よりも大きく、かつ空打撃８４の間の典型的な加速度値ａ５よりも小さく選択されている。閾値Ａは、それぞれのチゼルハンマ１、場合によっては使用する工具にも適合させることができる。図示の実施形態では評価装置４４は正の加速度値、すなわち、打撃軸線１００の方向の加速度にのみ応答する。
【００４３】
制御方法の分岐Ｓ４は、正の加速度値ａが閾値Ａを超過した場合に行う（フローチャートの左側の枝）。さもなければ、評価装置４４は生じた加速度値ａをさらに監視する（フローチャートの右側の枝）。
【００４４】
閾値Ａの超過に応答して、超過の時点ｔ１を検出することができる。評価装置４４は、例えばタイマーをスタートまたはリセットすることもできる。
【００４５】
評価装置４４は、駆動軸４の回転数を平均回転数Ｎ２に低減するためのシステム制御部４１を有している（Ｓ５）。平均回転数Ｎ２は、以前に調節した高い回転数Ｎ１よりも１５％〜３０％だけ低くてもよい。
【００４６】
評価装置４４は、時間Ｔ１内にもう１回閾値Ａを超過したかどうかを調べる（Ｓ６）。評価装置４４は、例えば評価装置４４によってあらかじめスタートまたはリセットされたタイマー４５によってトリガすることもできる。時間Ｔ１は、周期継続時間Ｔよりも長く、例えば０％〜５０％大きい。時間Ｔ１は、実際の平均回転数Ｎ２に関連して決定することができる。空打撃８４では、最後の空打撃から時間Ｔ１内に別の空打撃および対応した加速度値ａ４，ａ５が予期される。
【００４７】
時間Ｔ１を超過した場合、またはもう１回閾値Ａを超過した場合、制御方法の分岐Ｓ７を行う。時間Ｔ１内に閾値Ａを超過しなかった場合、駆動軸の回転数Ｎを高い回転数Ｎ１に増大する（Ｓ８）。チゼルハンマ１は再びフル出力で作動する。制御方法は再びステップＳ３に戻る。
【００４８】
時間Ｔ１内にもう１回閾値を超過した場合、駆動軸４の回転数Ｎを低い回転数Ｎ３に低減する（Ｓ９）。低い回転数Ｎ３は、例えば公称最大回転数の１０％〜３０％であってよい。低い回転数Ｎ３は、有利には、励起ピストン１２による移動が共振により励起されないように選択される。フリーピストン１３への励起ピストン１２の移動の伝達はより少なくなり、より小さいエネルギを伝達することができる。別の構成では、第１駆動部３を完全にスイッチオフすることができる。
【００４９】
さらに、空打撃時に少なくとも部分的に開放される通気開口１８を設けてもよい。通気開口１８は、上述のように受動的な空打撃緩衝部に配置することができる。フリーピストン１３は、フリーピストン１３がストッパまで案内管１０に押し込まれた打撃子２０に当接している場合に通気開口１８を閉鎖する。打撃子２０が案内管１０から工具側のストッパ２４まで押し出されているためにフリーピストン１３が工具側のストッパに当接できる場合には、通気開口１８は開放されている。通気開口１８により、フリーピストン１３の連結は付加的に弱められており、フリーピストン１３の移動は、とりわけ摩擦損失により克服される。
【００５０】
評価装置４４は、別の空打撃が生じたかどうかをさらに調べる（Ｓ１０）。タイマー４５は、例えば、閾値Ａを超過した場合にはいつも評価装置４４によってリセットされる。時間Ｔ２内にさらなる超過が検出されなかった場合、制御方法（Ｓ１１）は分岐する。駆動軸４の回転数Ｎは、高い回転数Ｎ１に増大される（Ｓ１２）。制御方法はステップＳ３に戻る。
【００５１】
時間Ｔ２は、時間Ｔ１と一致させることができる。あるいは、時間Ｔ２は、周期継続時間Ｔの５倍まで、例えば３倍に設定することができる。時間Ｔ２は、実際の低い回転数Ｎ２に関連させて設定することができる。打撃機構５がまだ後打撃している場合、時間Ｔ２は、Ｔ２内に別の打撃を予期することができるように設定することが望ましい。
【００５２】
打撃機構５は、変更した低い回転数Ｎ３では、より少ないエネルギをフリーピストン１３、ひいては打撃子２０に伝達することができる。その結果、空打撃は弱まり、空打撃の加速度値ａ４,ａ５はより小さくなる。しかしながら、駆動軸４の回転数を高い回転数Ｎ１に増大することにより、状況に応じて打撃機構５を再び励起することができる。それ故、一改良形態では、空打撃、すなわち、閾値Ａの超過の第一の回数を検出した場合には閾値Ａを低減する。第１の回数は、３〜１０回であってよい。閾値Ａは、空打撃が検出されるたびに連続的により小さい閾値Ａ２に低減することもできる。より小さい閾値Ａ２は、例えば閾値Ａの半分であってもよいが、所定の使用作動時の加速度値ａ１，ａ２よりも大きい。
【００５３】
所定回数の空打撃の後に、フリーピストン１３は完全に停止する。フリーピストン１３は、通気開口１８と打撃子２０との間で停止する。いま駆動軸４の回転数が高い回転数Ｎ１に増大された場合であっても、フリーピストン１３は停止状態に留まる。工具は通気開口１８上にフリーピストン１３を摺動し、フリーピストン１３を再び励起ピストン１２に連結するためには、いまチゼルハンマ１を加工部材に載置しさえすればよい。
【００５４】
上記実施形態は、２つの基準に基づき載置と空打撃とを区別する。第１に、打撃方向１００の加速度値ａのみを考慮し、第２に、第１の打撃（Ｓ３）の後に第２の打撃（Ｓ６）が行われたかどうかを調べる。本制御方法は、簡略化して両方の基準の一方のみを用いることもできる。
【００５５】
別の構成では、載置時には加速度ａは１つのみの位相を有し、空打撃時には２つの位相を有することを利用している。ステップＳ３で、閾値Ａの超過後に時間Ｔ３内にもう１回閾値Ａの超過が生じたかどうかを調べる。第２の位相が後打撃時に時間Ｔ３内に生じることがチゼルハンマ１の場合に特徴的である。したがって時間Ｔ３を測定し、評価装置４４に記憶して保管することができる。一改良形態では、第１の位相と第２の位相の加速度値が異なった符号を有するかどうかを調べる。あるいは、両方の位相間に加速度のゼロ交差が生じたかどうかを調べる。この場合、加速度ａは符号なしに決定することができる。ステップＳ６およびＳ１０を同様に適合させることができる。
【００５６】
一構成では、後打撃に対応する加速度ａが初めて検出された場合に駆動軸４の回転数を高い回転数Ｎ１から低い回転数Ｎ３に直接に低減する。ステップＳ５、Ｓ６、Ｓ７およびＳ８は省略することができる。
【００５７】
別の一構成では、加速度値は歪みゲージによって検出する。歪みゲージは、有利には機械ハウジング２に配置されている。生じた加速度は、機械ハウジング２または機械ハウジング２の内部に配置された素子の対応した圧縮または伸長をもたらす。加速度は、歪みゲージによって典型的には抵抗値または容量の変化として検出される。
【符号の説明】
【００５８】
１  手持ち式工具装置
４  駆動軸
８  打撃軸線
１００  打撃方向
ａ  加速度
ａ１，ａ２  加速度値
Ａ  閾値
Ｎ  回転数
Ｎ１  高い回転数
Ｎ２  平均回転数
Ｎ３  低い回転数
Ｔ，Ｔ１，Ｔ２，Ｔ３  時間
【図１】
2010173064.tif 000003
【図２】
2010173064.tif 000004
【図３】
2010173064.tif 000005
【図４】
2010173064.tif 000006